【手続補正書】
【提出日】平成18年2月9日(2006.2.9)
【手続補正１】
【補正対象書類名】明細書
【補正対象項目名】発明の名称
【補正方法】変更
【補正の内容】
【発明の名称】画像形成装置および制御方法および記録媒体
【手続補正２】
【補正対象書類名】明細書
【補正対象項目名】特許請求の範囲
【補正方法】変更
【補正の内容】
【特許請求の範囲】
【請求項１】  第１のサイズのシートにポートレート形式の第１の画像とポートレート形式の第２の画像とを長辺綴じ両面モードで形成する場合に、前記第１のサイズのシートにおける前記第１の画像の形成面の裏面に前記第１の画像と同じ向きで前記第２の画像を形成可能であり、
且つ、前記第１のサイズのシートより大きい第２のサイズのシートにランドスケープ形式の第３の画像とランドスケープ形式の第４の画像とを長辺綴じ両面モードで形成させる場合に、前記第２のサイズのシートにおける前記第３の画像の形成面の裏面に前記第３の画像と逆の向きで前記第４の画像を形成可能な、画像形成装置であって、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、
前記第１のサイズのシートにおける前記第１の画像の形成面の裏面に前記第１の画像と同じ向きで前記第２の画像を形成させ、
且つ、前記第２のサイズのシートにおける前記第３の画像の形成面の裏面に前記第３の画像と逆の向きで前記第４の画像を形成させることなく、前記第２のサイズのシートにおける前記第３の画像の形成面の裏面に前記第３の画像と同じ向きで前記第４の画像を形成させる制御手段を有することを特徴とする画像形成装置。
【請求項２】  第１のサイズのシートにランドスケープ形式の第１の画像とランドスケープ形式の第２の画像とを長辺綴じ両面モードで形成する場合に、前記第１のサイズのシートにおける前記第１の画像の形成面の裏面に前記第１の画像と逆の向きで前記第２の画像を形成可能であり、
且つ、前記第１のサイズのシートより大きい第２のサイズのシートにポートレート形式の第３の画像とポートレート形式の第４の画像とを長辺綴じ両面モードで形成させる場合に、前記第２のサイズのシートにおける前記第３の画像の形成面の裏面に前記第３の画像と同じ向きで前記第４の画像を形成可能な、画像形成装置であって、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、
前記第１のサイズのシートにおける前記第１の画像の形成面の裏面に前記第１の画像と逆の向きで前記第２の画像を形成させ、
且つ、前記第２のサイズのシートにおける前記第３の画像の形成面の裏面に前記第３の画像と同じ向きで前記第４の画像を形成させることなく、前記第２のサイズのシートにおける前記第３の画像の形成面の裏面に前記第３の画像と逆の向きで前記第４の画像を形成させる制御手段を有することを特徴とする画像形成装置。
【請求項３】  第１のサイズのシートにポートレート形式の第１の画像とポートレート形式の第２の画像とを短辺綴じ両面モードで形成させる場合に、前記第１のサイズのシートにおける前記第１の画像の形成面の裏面に前記第１の画像と逆の向きで前記第２の画像を形成可能であり、
且つ、前記第１のサイズのシートより大きい第２のサイズのシートにランドスケープ形式の第３の画像とランドスケープ形式の第４の画像とを短辺綴じ両面モードで形成させる場合に、前記第２のサイズのシートにおける前記第３の画像の形成面の裏面に前記第３の画像と同じ向きで前記第４の画像を形成可能な、画像形成装置であって、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、
前記第１のサイズのシートにおける前記第１の画像の形成面の裏面に前記第１の画像と逆の向きで前記第２の画像を形成させることなく、前記第１のサイズのシートにおける前記第１の画像の形成面の裏面に前記第１の画像と同じ向きで前記第２の画像を形成させ、
且つ、前記第２のサイズのシートにおける前記第３の画像の形成面の裏面に前記第３の画像と同じ向きで前記第４の画像を形成させる制御手段を有することを特徴とする画像形成装置。
【請求項４】  第１のサイズのシートにランドスケープ形式の第１の画像とランドスケープ形式の第２の画像とを短辺綴じ両面モードで形成させる場合に、前記第１のサイズのシートにおける前記第１の画像の形成面の裏面に前記第１の画像と同じ向きで前記第２の画像を形成可能であり、
且つ、前記第１のサイズのシートより大きい第２のサイズのシートにポートレート形式の第３の画像とポートレート形式の第４の画像とを短辺綴じ両面モードで形成させる場合に、前記第２のサイズのシートにおける前記第３の画像の形成面の裏面に前記第３の画像と逆の向きで前記第４の画像を形成可能な、画像形成装置であって、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、
前記第１のサイズのシートにおける前記第１の画像の形成面の裏面に前記第１の画像と同じ向きで前記第２の画像を形成させることなく、前記第１のサイズのシートにおける前記第１の画像の形成面の裏面に前記第１の画像と逆の向きで前記第２の画像を形成させ、
且つ、前記第２のサイズのシートにおける前記第３の画像の形成面の裏面に前記第３の画像と逆の向きで前記第４の画像を形成させる制御手段を有することを特徴とする画像形成装置。
【請求項５】  第１のサイズのシートに第１の画像と第２の画像とを形成させる場合に、前記第１のサイズのシートにおける前記第１の画像の形成面の裏面に前記第１の画像と同じ向きで前記第２の画像を形成可能であり、
且つ、前記第１のサイズのシートより大きい第２のサイズのシートに第３の画像と第４の画像とを形成させる場合に、前記第２のサイズのシートにおける前記第３の画像の形成面の裏面に前記第３の画像と逆の向きで前記第４の画像を形成可能な、画像形成装置であって、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、
前記第１のサイズのシートにおける前記第１の画像の形成面の裏面に前記第１の画像と同じ向きで前記第２の画像を形成させ、
且つ、前記第２のサイズのシートにおける前記第３の画像の形成面の裏面に前記第３の画像と逆の向きで前記第４の画像を形成させることなく、前記第２のサイズのシートにおける前記第３の画像の形成面の裏面に前記第３の画像と同じ向きで前記第４の画像を形成させる制御手段を有することを特徴とする画像形成装置。
【請求項６】  第１のサイズのシートに第１の画像と第２の画像とを形成させる場合に、前記第１のサイズのシートにおける前記第１の画像の形成面の裏面に前記第１の画像と逆の向きで前記第２の画像を形成可能であり、
且つ、前記第１のサイズのシートより大きい第２のサイズのシートに第３の画像と第４の画像とを形成させる場合に、前記第２のサイズのシートにおける前記第３の画像の形成面の裏面に前記第３の画像と同じ向きで前記第４の画像を形成可能な、画像形成装置であって、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、
前記第１のサイズのシートにおける前記第１の画像の形成面の裏面に前記第１の画像と逆の向きで前記第２の画像を形成させ、
且つ、前記第２のサイズのシートにおける前記第３の画像の形成面の裏面に前記第３の画像と同じ向きで前記第４の画像を形成させることなく、前記第２のサイズのシートにおける前記第３の画像の形成面の裏面に前記第３の画像と逆の向きで前記第４の画像を形成させる制御手段を有することを特徴とする画像形成装置。
【請求項７】  第１のサイズのシートに第１の画像と第２の画像とを形成させる場合に、前記第１のサイズのシートにおける前記第１の画像の形成面の裏面に前記第１の画像と逆の向きで前記第２の画像を形成可能であり、
且つ、前記第１のサイズのシートより大きい第２のサイズのシートに第３の画像と第４の画像とを形成させる場合に、前記第２のサイズのシートにおける前記第３の画像の形成面の裏面に前記第３の画像と同じ向きで前記第４の画像を形成可能な、画像形成装置であって、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、
前記第１のサイズのシートにおける前記第１の画像の形成面の裏面に前記第１の画像と逆の向きで前記第２の画像を形成させることなく、前記第１のサイズのシートにおける前記第１の画像の形成面の裏面に前記第１の画像と同じ向きで前記第２の画像を形成させ、
且つ、前記第２のサイズのシートにおける前記第３の画像の形成面の裏面に前記第３の画像と同じ向きで前記第４の画像を形成させる制御手段を有することを特徴とする画像形成装置。
【請求項８】  第１のサイズのシートに第１の画像と第２の画像とを形成させる場合に、前記第１のサイズのシートにおける前記第１の画像の形成面の裏面に前記第１の画像と同じ向きで前記第２の画像を形成可能であり、
且つ、前記第１のサイズのシートより大きい第２のサイズのシートに第３の画像と第４の画像とを形成させる場合に、前記第２のサイズのシートにおける前記第３の画像の形成面の裏面に前記第３の画像と逆の向きで前記第４の画像を形成可能な、画像形成装置であって、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、
前記第１のサイズのシートにおける前記第１の画像の形成面の裏面に前記第１の画像と同じ向きで前記第２の画像を形成させることなく、前記第１のサイズのシートにおける前記第１の画像の形成面の裏面に前記第１の画像と逆の向きで前記第２の画像を形成させ、
且つ、前記第２のサイズのシートにおける前記第３の画像の形成面の裏面に前記第３の画像と逆の向きで前記第４の画像を形成させる制御手段を有することを特徴とする画像形成装置。
【請求項９】  前記請求項1乃至８のいずれかに記載の画像形成装置であって、
前記画像形成装置は、画像形成されたシートに対する綴じ処理を行う綴じ手段を更に有することを特徴とする画像形成装置。
【請求項１０】  前記請求項１乃至９のいずれかに記載の画像形成装置であって、
前記画像形成装置は、
前記画像形成装置に印刷ジョブを送信可能な外部装置から出力された、前記第１の画像、前記第２の画像、前記第３の画像、及び、前記第４の画像の形成処理を実行させるにあたり前記第１のサイズのシートと前記第２のサイズのシートとの両方のシートを要するジョブを、
受け付け可能であることを特徴とする画像形成装置。
【請求項１１】  前記請求項１乃至１０のいずれかに記載の画像形成装置であって、
前記制御手段は、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブの前記第１の画像、前記第２の画像、前記第３の画像、及び、前記第４の画像のシートにおける画像の向きを揃える為の画像回転処理を、
前記画像形成装置により実行させることを特徴とする画像形成装置。
【請求項１２】  前記請求項１乃至１１のいずれかに記載の画像形成装置であって、
前記制御手段は、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブの前記第１の画像、前記第２の画像、前記第３の画像、及び、前記第４の画像のシートにおける画像の向きを揃える為の画像回転処理が前記画像形成装置に送信する印刷ジョブの設定画面を表示可能なコンピュータにより実行済みの画像を、
前記画像形成装置に、画像形成させる特徴とする画像形成装置。
【請求項１３】  前記請求項１１又は１２に記載の画像形成装置であって、
前記画像回転処理は、前記第１のサイズのシートの長辺と、前記第２のサイズのシートの短辺とが重なり合うように回転する処理であることを特徴とする画像形成装置。
【請求項１４】  請求項１乃至１３のいずれかに記載の画像形成装置であって、
前記画像形成装置は読取手段を更に有し、前記画像形成装置は前記読取手段で読み取った原稿の画像形成が可能であることを特徴とする画像形成装置。
【請求項１５】  第１のサイズのシートにポートレート形式の第１の画像とポートレート形式の第２の画像とを長辺綴じ両面モードで形成させる場合に、前記第１のサイズのシートにおける前記第１の画像の形成面の裏面に前記第１の画像と同じ向きで前記第２の画像を形成可能で、
且つ、長辺綴じ両面モードで前記第１のサイズのシートより大きい第２のサイズのシートにランドスケープ形式の第３の画像とランドスケープ形式の第４の画像とを形成させる場合に、前記第２のサイズのシートにおける前記第３の画像の形成面の裏面に前記第３の画像と逆の向きで前記第４の画像を形成可能な、画像形成装置の制御方法であって、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、
前記第１のサイズのシートにおける前記第１の画像の形成面の裏面に前記第１の画像と同じ向きで前記第２の画像を形成させ、
且つ、前記第２のサイズのシートにおける前記第３の画像の形成面の裏面に前記第３の画像と逆の向きで前記第４の画像を形成させることなく、前記第２のサイズのシートにおける前記第３の画像の形成面の裏面に前記第３の画像と同じ向きで前記第４の画像を形成させることを特徴とする制御方法。
【請求項１６】  長辺綴じモードで第１のサイズのシートにランドスケープ形式の第１の画像とランドスケープ形式の第２の画像とを形成させる場合に、前記第１のサイズのシートにおける前記第１の画像の形成面の裏面に前記第１の画像と逆の向きで前記第２の画像を形成可能で、
且つ、長辺綴じ両面モードで前記第１のサイズのシートより大きい第２のサイズのシートにポートレート形式の第３の画像とポートレート形式の第４の画像とを形成させる場合に、前記第２のサイズのシートにおける前記第３の画像の形成面の裏面に前記第３の画像と同じ向きで前記第４の画像を形成可能な、画像形成装置の制御方法であって、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、
前記第１のサイズのシートにおける前記第１の画像の形成面の裏面に前記第１の画像と逆の向きで前記第２の画像を形成させ、
且つ、前記第２のサイズのシートにおける前記第３の画像の形成面の裏面に前記第３の画像と同じ向きで前記第４の画像を形成させることなく、前記第２のサイズのシートにおける前記第３の画像の形成面の裏面に前記第３の画像と逆の向きで前記第４の画像を形成させることを特徴とする制御方法。
【請求項１７】  短辺綴じモードで第１のサイズのシートにポートレート形式の第１の画像とポートレート形式の第２の画像とを形成させる場合に、前記第１のサイズのシートにおける前記第１の画像の形成面の裏面に前記第１の画像と逆の向きで前記第２の画像を形成可能で、
且つ、短辺綴じ両面モードで前記第１のサイズのシートより大きい第２のサイズのシートにランドスケープ形式の第３の画像とランドスケープ形式の第４の画像とを形成させる場合に、前記第２のサイズのシートにおける前記第３の画像の形成面の裏面に前記第３の画像と同じ向きで前記第４の画像を形成可能な、画像形成装置の制御方法であって、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、
前記第１のサイズのシートにおける前記第１の画像の形成面の裏面に前記第１の画像と逆の向きで前記第２の画像を形成させることなく、前記第１のサイズのシートにおける前記第１の画像の形成面の裏面に前記第１の画像と同じ向きで前記第２の画像を形成させ、
且つ、前記第２のサイズのシートにおける前記第３の画像の形成面の裏面に前記第３の画像と同じ向きで前記第４の画像を形成させることを特徴とする制御方法。
【請求項１８】  短辺綴じモードで第１のサイズのシートにランドスケープ形式の第１の画像とランドスケープ形式の第２の画像とを形成させる場合に、前記第１のサイズのシートにおける前記第１の画像の形成面の裏面に前記第１の画像と同じ向きで前記第２の画像を形成可能で、
且つ、短辺綴じ両面モードで前記第１のサイズのシートより大きい第２のサイズのシートにポートレート形式の第３の画像とポートレート形式の第４の画像とを形成させる場合に、前記第２のサイズのシートにおける前記第３の画像の形成面の裏面に前記第３の画像と逆の向きで前記第４の画像を形成可能な、画像形成装置の制御方法であって、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、
前記第１のサイズのシートにおける前記第１の画像の形成面の裏面に前記第１の画像と同じ向きで前記第２の画像を形成させることなく、前記第１のサイズのシートにおける前記第１の画像の形成面の裏面に前記第１の画像と逆の向きで前記第２の画像を形成させ、
且つ、前記第２のサイズのシートにおける前記第３の画像の形成面の裏面に前記第３の画像と逆の向きで前記第４の画像を形成させることを特徴とする制御方法。
【請求項１９】  第１のサイズのシートに第１の画像と第２の画像とを形成させる場合に、前記第１のサイズのシートにおける前記第１の画像の形成面の裏面に前記第１の画像と同じ向きで前記第２の画像を形成可能で、
且つ、前記第１のサイズのシートより大きい第２のサイズのシートに第３の画像と第４の画像とを形成させる場合に、前記第２のサイズのシートにおける前記第３の画像の形成面の裏面に前記第３の画像と逆の向きで前記第４の画像を形成可能な、画像形成装置の制御方法であって、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、
前記第１のサイズのシートにおける前記第１の画像の形成面の裏面に前記第１の画像と同じ向きで前記第２の画像を形成させ、
且つ、前記第２のサイズのシートにおける前記第３の画像の形成面の裏面に前記第３の画像と逆の向きで前記第４の画像を形成させることなく、前記第２のサイズのシートにおける前記第３の画像の形成面の裏面に前記第３の画像と同じ向きで前記第４の画像を形成させることを特徴とする制御方法。
【請求項２０】  第１のサイズのシートに第１の画像と第２の画像とを形成させる場合に、前記第１のサイズのシートにおける前記第１の画像の形成面の裏面に前記第１の画像と逆の向きで前記第２の画像を形成可能で、
且つ、前記第１のサイズのシートより大きい第２のサイズのシートに第３の画像と第４の画像とを形成させる場合に、前記第２のサイズのシートにおける前記第３の画像の形成面の裏面に前記第３の画像と同じ向きで前記第４の画像を形成可能な、画像形成装置の制御方法であって、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、
前記第１のサイズのシートにおける前記第１の画像の形成面の裏面に前記第１の画像と逆の向きで前記第２の画像を形成させ、
且つ、前記第２のサイズのシートにおける前記第３の画像の形成面の裏面に前記第３の画像と同じ向きで前記第４の画像を形成させることなく、前記第２のサイズのシートにおける前記第３の画像の形成面の裏面に前記第３の画像と逆の向きで前記第４の画像を形成させることを特徴とする制御方法。
【請求項２１】  第１のサイズのシートに第１の画像と第２の画像とを形成させる場合に、前記第１のサイズのシートにおける前記第１の画像の形成面の裏面に前記第１の画像と逆の向きで前記第２の画像を形成可能で、
且つ、前記第１のサイズのシートより大きい第２のサイズのシートに第３の画像と第４の画像とを形成させる場合に、前記第２のサイズのシートにおける前記第３の画像の形成面の裏面に前記第３の画像と同じ向きで前記第４の画像を形成可能な、画像形成装置の制御方法であって、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、
前記第１のサイズのシートにおける前記第１の画像の形成面の裏面に前記第１の画像と逆の向きで前記第２の画像を形成させることなく、前記第１のサイズのシートにおける前記第１の画像の形成面の裏面に前記第１の画像と同じ向きで前記第２の画像を形成させ、
且つ、前記第２のサイズのシートにおける前記第３の画像の形成面の裏面に前記第３の画像と同じ向きで前記第４の画像を形成させることを特徴とする制御方法。
【請求項２２】  第１のサイズのシートに第１の画像と第２の画像とを形成させる場合に、前記第１のサイズのシートにおける前記第１の画像の形成面の裏面に前記第１の画像と同じ向きで前記第２の画像を形成可能で、
且つ、前記第１のサイズのシートより大きい第２のサイズのシートに第３の画像と第４の画像とを形成させる場合に、前記第２のサイズのシートにおける前記第３の画像の形成面の裏面に前記第３の画像と逆の向きで前記第４の画像を形成可能な、画像形成装置の制御方法であって、
前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、
前記第１のサイズのシートにおける前記第１の画像の形成面の裏面に前記第１の画像と同じ向きで前記第２の画像を形成させることなく、前記第１のサイズのシートにおける前記第１の画像の形成面の裏面に前記第１の画像と逆の向きで前記第２の画像を形成させ、
且つ、前記第２のサイズのシートにおける前記第３の画像の形成面の裏面に前記第３の画像と逆の向きで前記第４の画像を形成させることを特徴とする制御方法。
【請求項２３】  前記請求項１５乃至２２のいずれかに記載の制御方法であって、
前記制御方法は、画像形成されたシートに対する綴じ処理を行わせることを特徴とする制御方法。
【請求項２４】  前記請求項１５乃至２３のいずれかに記載の制御方法であって、
前記制御方法は、前記画像形成装置に印刷ジョブを送信可能な外部装置から出力された、前記第１の画像、前記第２の画像、前記第３の画像、及び、前記第４の画像の形成処理を実行させるにあたり前記第１のサイズのシートと前記第２のサイズのシートとの両方のシートを要するジョブを、受け付け可能にさせることを特徴とする制御方法。
【請求項２５】  前記請求項１５乃至２４のいずれかに記載の制御方法であって、
前記制御方法は、前記第１の画像、前記第２の画像、前記第３の画像、及び、前記第４の画像の形成処理を実行させるにあたり前記第１のサイズのシートと前記第２のサイズのシートとの両方のサイズのシートを要するジョブの前記第１の画像、前記第２の画像、前記第３の画像、及び、前記第４の画像のシートにおける画像の向きを揃える為の画像回転処理を、前記画像形成装置により実行させることを特徴とする制御方法。
【請求項２６】  前記請求項１５乃至２５のいずれかに記載の制御方法であって、
前記制御方法は、前記第１の画像、前記第２の画像、前記第３の画像、及び、前記第４の画像の形成処理を実行させるにあたり前記第１のサイズのシートと前記第２のサイズのシートとの両方のサイズのシートを要するジョブの前記第１の画像、前記第２の画像、前記第３の画像、及び、前記第４の画像のシートにおける画像の向きを揃える為の画像回転処理を、前記画像形成装置に送信する印刷ジョブの設定画面を表示可能なコンピュータにより、実行させることを特徴とする制御方法。
【請求項２７】  前記請求項２５又は２６に記載の制御方法であって、
前記制御方法の前記画像回転処理は、前記第１のサイズのシートの長辺と、前記第２のサイズのシートの短辺とが重なり合うように回転する処理であることを特徴とする制御方法。
【請求項２８】  請求項１５乃至２７のいずれかに記載の制御方法であって、
前記制御方法は、読取手段で読み取った原稿の画像形成をさせることが可能である画像形成装置によって、前記画像形成装置に印刷ジョブを送信可能な外部装置から出力された、前記第１の画像、前記第２の画像、前記第３の画像、及び、前記第４の画像の形成処理を実行させるにあたり前記第１のサイズのシートと前記第２のサイズのシートとの両方のシートを要するジョブを、受け付け可能にすることを特徴とする制御方法。
【請求項２９】  前記請求項１５乃至２８のいずれかに記載の制御方法をコンピュータにより実行させるためのプログラムを記録したコンピュータ読み出し可能な記録媒体。
【手続補正３】
【補正対象書類名】明細書
【補正対象項目名】０００１
【補正方法】変更
【補正の内容】
【０００１】
【発明の属する技術分野】
本発明は、画像情報に対して両面印字を指定して、搬送される記録媒体に両面画像形成を行う画像形成装置および制御方法および記録媒体に関するものである。
【手続補正４】
【補正対象書類名】明細書
【補正対象項目名】００２０
【補正方法】変更
【補正の内容】
【００２０】
本発明は、上記の問題点を解決するためになされたもので、本発明の目的は、同一の書類内に複数の用紙サイズが混在した場合でも、綴じ方向に整合した最適な両面印字出力結果を取得することができる仕組を提供することである。
【手続補正５】
【補正対象書類名】明細書
【補正対象項目名】００２１
【補正方法】変更
【補正の内容】
【００２１】
【問題点を解決するための手段】
本発明は、第１のサイズのシートにポートレート形式の第１の画像とポートレート形式の第２の画像とを長辺綴じ両面モードで形成する場合に、前記第１のサイズのシートにおける前記第１の画像の形成面の裏面に前記第１の画像と同じ向きで前記第２の画像を形成可能であり、且つ、前記第１のサイズのシートより大きい第２のサイズのシートにランドスケープ形式の第３の画像とランドスケープ形式の第４の画像とを長辺綴じ両面モードで形成させる場合に、前記第２のサイズのシートにおける前記第３の画像の形成面の裏面に前記第３の画像と逆の向きで前記第４の画像を形成可能な、画像形成装置であって、前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、前記第１のサイズのシートにおける前記第１の画像の形成面の裏面に前記第１の画像と同じ向きで前記第２の画像を形成させ、且つ、前記第２のサイズのシートにおける前記第３の画像の形成面の裏面に前記第３の画像と逆の向きで前記第４の画像を形成させることなく、前記第２のサイズのシートにおける前記第３の画像の形成面の裏面に前記第３の画像と同じ向きで前記第４の画像を形成させる制御手段を有することを特徴とする。
【手続補正６】
【補正対象書類名】明細書
【補正対象項目名】００２２
【補正方法】変更
【補正の内容】
【００２２】
また、本発明は、第１のサイズのシートにランドスケープ形式の第１の画像とランドスケープ形式の第２の画像とを長辺綴じ両面モードで形成する場合に、前記第１のサイズのシートにおける前記第１の画像の形成面の裏面に前記第１の画像と逆の向きで前記第２の画像を形成可能であり、且つ、前記第１のサイズのシートより大きい第２のサイズのシートにポートレート形式の第３の画像とポートレート形式の第４の画像とを長辺綴じ両面モードで形成させる場合に、前記第２のサイズのシートにおける前記第３の画像の形成面の裏面に前記第３の画像と同じ向きで前記第４の画像を形成可能な、画像形成装置であって、前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、前記第１のサイズのシートにおける前記第１の画像の形成面の裏面に前記第１の画像と逆の向きで前記第２の画像を形成させ、且つ、前記第２のサイズのシートにおける前記第３の画像の形成面の裏面に前記第３の画像と同じ向きで前記第４の画像を形成させることなく、前記第２のサイズのシートにおける前記第３の画像の形成面の裏面に前記第３の画像と逆の向きで前記第４の画像を形成させる制御手段を有することを特徴とする。
【手続補正７】
【補正対象書類名】明細書
【補正対象項目名】００２３
【補正方法】変更
【補正の内容】
【００２３】
また、本発明は、第１のサイズのシートにポートレート形式の第１の画像とポートレート形式の第２の画像とを短辺綴じ両面モードで形成させる場合に、前記第１のサイズのシートにおける前記第１の画像の形成面の裏面に前記第１の画像と逆の向きで前記第２の画像を形成可能であり、且つ、前記第１のサイズのシートより大きい第２のサイズのシートにランドスケープ形式の第３の画像とランドスケープ形式の第４の画像とを短辺綴じ両面モードで形成させる場合に、前記第２のサイズのシートにおける前記第３の画像の形成面の裏面に前記第３の画像と同じ向きで前記第４の画像を形成可能な、画像形成装置であって、前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、前記第１のサイズのシートにおける前記第１の画像の形成面の裏面に前記第１の画像と逆の向きで前記第２の画像を形成させることなく、前記第１のサイズのシートにおける前記第１の画像の形成面の裏面に前記第１の画像と同じ向きで前記第２の画像を形成させ、
且つ、前記第２のサイズのシートにおける前記第３の画像の形成面の裏面に前記第３の画像と同じ向きで前記第４の画像を形成させる制御手段を有することを特徴とする。
【手続補正８】
【補正対象書類名】明細書
【補正対象項目名】００２４
【補正方法】変更
【補正の内容】
【００２４】
また、本発明は、第１のサイズのシートにランドスケープ形式の第１の画像とランドスケープ形式の第２の画像とを短辺綴じ両面モードで形成させる場合に、前記第１のサイズのシートにおける前記第１の画像の形成面の裏面に前記第１の画像と同じ向きで前記第２の画像を形成可能であり、且つ、前記第１のサイズのシートより大きい第２のサイズのシートにポートレート形式の第３の画像とポートレート形式の第４の画像とを短辺綴じ両面モードで形成させる場合に、前記第２のサイズのシートにおける前記第３の画像の形成面の裏面に前記第３の画像と逆の向きで前記第４の画像を形成可能な、画像形成装置であって、前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、前記第１のサイズのシートにおける前記第１の画像の形成面の裏面に前記第１の画像と同じ向きで前記第２の画像を形成させることなく、前記第１のサイズのシートにおける前記第１の画像の形成面の裏面に前記第１の画像と逆の向きで前記第２の画像を形成させ、
且つ、前記第２のサイズのシートにおける前記第３の画像の形成面の裏面に前記第３の画像と逆の向きで前記第４の画像を形成させる制御手段を有することを特徴とする。
【手続補正９】
【補正対象書類名】明細書
【補正対象項目名】００２５
【補正方法】変更
【補正の内容】
【００２５】
また、本発明は、第１のサイズのシートに第１の画像と第２の画像とを形成させる場合に、前記第１のサイズのシートにおける前記第１の画像の形成面の裏面に前記第１の画像と同じ向きで前記第２の画像を形成可能であり、且つ、前記第１のサイズのシートより大きい第２のサイズのシートに第３の画像と第４の画像とを形成させる場合に、前記第２のサイズのシートにおける前記第３の画像の形成面の裏面に前記第３の画像と逆の向きで前記第４の画像を形成可能な、画像形成装置であって、前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、前記第１のサイズのシートにおける前記第１の画像の形成面の裏面に前記第１の画像と同じ向きで前記第２の画像を形成させ、且つ、前記第２のサイズのシートにおける前記第３の画像の形成面の裏面に前記第３の画像と逆の向きで前記第４の画像を形成させることなく、前記第２のサイズのシートにおける前記第３の画像の形成面の裏面に前記第３の画像と同じ向きで前記第４の画像を形成させる制御手段を有することを特徴とする。
【手続補正１０】
【補正対象書類名】明細書
【補正対象項目名】００２６
【補正方法】変更
【補正の内容】
【００２６】
また、本発明は、第１のサイズのシートに第１の画像と第２の画像とを形成させる場合に、前記第１のサイズのシートにおける前記第１の画像の形成面の裏面に前記第１の画像と逆の向きで前記第２の画像を形成可能であり、且つ、前記第１のサイズのシートより大きい第２のサイズのシートに第３の画像と第４の画像とを形成させる場合に、前記第２のサイズのシートにおける前記第３の画像の形成面の裏面に前記第３の画像と同じ向きで前記第４の画像を形成可能な、画像形成装置であって、前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、前記第１のサイズのシートにおける前記第１の画像の形成面の裏面に前記第１の画像と逆の向きで前記第２の画像を形成させ、且つ、前記第２のサイズのシートにおける前記第３の画像の形成面の裏面に前記第３の画像と同じ向きで前記第４の画像を形成させることなく、前記第２のサイズのシートにおける前記第３の画像の形成面の裏面に前記第３の画像と逆の向きで前記第４の画像を形成させる制御手段を有することを特徴とする。
【手続補正１１】
【補正対象書類名】明細書
【補正対象項目名】００２７
【補正方法】変更
【補正の内容】
【００２７】
また、本発明は、第１のサイズのシートに第１の画像と第２の画像とを形成させる場合に、前記第１のサイズのシートにおける前記第１の画像の形成面の裏面に前記第１の画像と逆の向きで前記第２の画像を形成可能であり、且つ、前記第１のサイズのシートより大きい第２のサイズのシートに第３の画像と第４の画像とを形成させる場合に、前記第２のサイズのシートにおける前記第３の画像の形成面の裏面に前記第３の画像と同じ向きで前記第４の画像を形成可能な、画像形成装置であって、前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、前記第１のサイズのシートにおける前記第１の画像の形成面の裏面に前記第１の画像と逆の向きで前記第２の画像を形成させることなく、前記第１のサイズのシートにおける前記第１の画像の形成面の裏面に前記第１の画像と同じ向きで前記第２の画像を形成させ、且つ、前記第２のサイズのシートにおける前記第３の画像の形成面の裏面に前記第３の画像と同じ向きで前記第４の画像を形成させる制御手段を有することを特徴とする。
【手続補正１２】
【補正対象書類名】明細書
【補正対象項目名】００２８
【補正方法】変更
【補正の内容】
【００２８】
また、本発明は、第１のサイズのシートに第１の画像と第２の画像とを形成させる場合に、前記第１のサイズのシートにおける前記第１の画像の形成面の裏面に前記第１の画像と同じ向きで前記第２の画像を形成可能であり、且つ、前記第１のサイズのシートより大きい第２のサイズのシートに第３の画像と第４の画像とを形成させる場合に、前記第２のサイズのシートにおける前記第３の画像の形成面の裏面に前記第３の画像と逆の向きで前記第４の画像を形成可能な、画像形成装置であって、前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合に、前記第１のサイズのシートにおける前記第１の画像の形成面の裏面に前記第１の画像と同じ向きで前記第２の画像を形成させることなく、前記第１のサイズのシートにおける前記第１の画像の形成面の裏面に前記第１の画像と逆の向きで前記第２の画像を形成させ、且つ、前記第２のサイズのシートにおける前記第３の画像の形成面の裏面に前記第３の画像と逆の向きで前記第４の画像を形成させる制御手段を有することを特徴とする。
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】０２７２
【補正方法】変更
【補正の内容】
【０２７２】
【発明の効果】
以上説明したように、本願請求項１及び１５に記載の発明によれば、第１のサイズのシートにポートレート形式の第１の画像とポートレート形式の第２の画像とを長辺綴じ両面モードで形成する場合に、前記第１のサイズのシートにおける前記第１の画像の形成面の裏面に前記第１の画像と同じ向きで前記第２の画像を形成可能であり、且つ、前記第１のサイズのシートより大きい第２のサイズのシートにランドスケープ形式の第３の画像とランドスケープ形式の第４の画像とを長辺綴じ両面モードで形成させる場合に、前記第２のサイズのシートにおける前記第３の画像の形成面の裏面に前記第３の画像と逆の向きで前記第４の画像を形成可能な、画像形成装置で、前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合でも、方向が整合した両面印字出力結果を得ることができる。
【手続補正１６】
【補正対象書類名】明細書
【補正対象項目名】０２７３
【補正方法】変更
【補正の内容】
【０２７３】
本願請求項２及び１６に記載の発明によれば、第１のサイズのシートにランドスケープ形式の第１の画像とランドスケープ形式の第２の画像とを長辺綴じ両面モードで形成する場合に、前記第１のサイズのシートにおける前記第１の画像の形成面の裏面に前記第１の画像と逆の向きで前記第２の画像を形成可能であり、且つ、前記第１のサイズのシートより大きい第２のサイズのシートにポートレート形式の第３の画像とポートレート形式の第４の画像とを長辺綴じ両面モードで形成させる場合に、前記第２のサイズのシートにおける前記第３の画像の形成面の裏面に前記第３の画像と同じ向きで前記第４の画像を形成可能な、画像形成装置で、前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合でも、方向が整合した両面印字出力結果を得ることができる。
【手続補正１７】
【補正対象書類名】明細書
【補正対象項目名】０２７４
【補正方法】変更
【補正の内容】
【０２７４】
本願請求項３及び１７に記載の発明によれば、第１のサイズのシートにポートレート形式の第１の画像とポートレート形式の第２の画像とを短辺綴じ両面モードで形成させる場合に、前記第１のサイズのシートにおける前記第１の画像の形成面の裏面に前記第１の画像と逆の向きで前記第２の画像を形成可能であり、且つ、前記第１のサイズのシートより大きい第２のサイズのシートにランドスケープ形式の第３の画像とランドスケープ形式の第４の画像とを短辺綴じ両面モードで形成させる場合に、前記第２のサイズのシートにおける前記第３の画像の形成面の裏面に前記第３の画像と同じ向きで前記第４の画像を形成可能な、画像形成装置で、前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合でも、方向が整合した両面印字出力結果を得ることができる。
【手続補正１８】
【補正対象書類名】明細書
【補正対象項目名】０２７５
【補正方法】変更
【補正の内容】
【０２７５】
本願請求項４及び１８に記載の発明によれば、第１のサイズのシートにランドスケープ形式の第１の画像とランドスケープ形式の第２の画像とを短辺綴じ両面モードで形成させる場合に、前記第１のサイズのシートにおける前記第１の画像の形成面の裏面に前記第１の画像と同じ向きで前記第２の画像を形成可能であり、且つ、前記第１のサイズのシートより大きい第２のサイズのシートにポートレート形式の第３の画像とポートレート形式の第４の画像とを短辺綴じ両面モードで形成させる場合に、前記第２のサイズのシートにおける前記第３の画像の形成面の裏面に前記第３の画像と逆の向きで前記第４の画像を形成可能な、画像形成装置で、前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合でも、方向が整合した両面印字出力結果を得ることができる。
【手続補正１９】
【補正対象書類名】明細書
【補正対象項目名】０２７６
【補正方法】変更
【補正の内容】
【０２７６】
本願請求項５及び１９に記載の発明によれば、第１のサイズのシートに第１の画像と第２の画像とを形成させる場合に、前記第１のサイズのシートにおける前記第１の画像の形成面の裏面に前記第１の画像と同じ向きで前記第２の画像を形成可能であり、且つ、前記第１のサイズのシートより大きい第２のサイズのシートに第３の画像と第４の画像とを形成させる場合に、前記第２のサイズのシートにおける前記第３の画像の形成面の裏面に前記第３の画像と逆の向きで前記第４の画像を形成可能な、画像形成装置で、前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合でも、方向が整合した両面印字出力結果を得ることができる。
【手続補正２０】
【補正対象書類名】明細書
【補正対象項目名】０２７７
【補正方法】変更
【補正の内容】
【０２７７】
本願請求項６及び２０に記載の発明によれば、第１のサイズのシートに第１の画像と第２の画像とを形成させる場合に、前記第１のサイズのシートにおける前記第１の画像の形成面の裏面に前記第１の画像と逆の向きで前記第２の画像を形成可能であり、且つ、前記第１のサイズのシートより大きい第２のサイズのシートに第３の画像と第４の画像とを形成させる場合に、前記第２のサイズのシートにおける前記第３の画像の形成面の裏面に前記第３の画像と同じ向きで前記第４の画像を形成可能な、画像形成装置で、前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合でも、方向が整合した両面印字出力結果を得ることができる。
【手続補正２１】
【補正対象書類名】明細書
【補正対象項目名】０２７８
【補正方法】変更
【補正の内容】
【０２７８】
本願請求項７及び２１に記載の発明によれば、第１のサイズのシートに第１の画像と第２の画像とを形成させる場合に、前記第１のサイズのシートにおける前記第１の画像の形成面の裏面に前記第１の画像と逆の向きで前記第２の画像を形成可能であり、且つ、前記第１のサイズのシートより大きい第２のサイズのシートに第３の画像と第４の画像とを形成させる場合に、前記第２のサイズのシートにおける前記第３の画像の形成面の裏面に前記第３の画像と同じ向きで前記第４の画像を形成可能な、画像形成装置で、前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合でも、方向が整合した両面印字出力結果を得ることができる。
【手続補正２２】
【補正対象書類名】明細書
【補正対象項目名】０２７９
【補正方法】変更
【補正の内容】
【０２７９】
本願請求項８及び２２に記載の発明によれば、第１のサイズのシートに第１の画像と第２の画像とを形成させる場合に、前記第１のサイズのシートにおける前記第１の画像の形成面の裏面に前記第１の画像と同じ向きで前記第２の画像を形成可能であり、且つ、前記第１のサイズのシートより大きい第２のサイズのシートに第３の画像と第４の画像とを形成させる場合に、前記第２のサイズのシートにおける前記第３の画像の形成面の裏面に前記第３の画像と逆の向きで前記第４の画像を形成可能な、画像形成装置で、前記第１の画像、前記第２の画像、前記第３の画像、及び、前記第４の画像の形成処理を実行させるにあたり前記第１のサイズのシートと前記第２のサイズのシートとの両方のサイズのシートを要するジョブを受け付けた場合でも、方向が整合した両面印字出力結果を得ることができる。
【手続補正２３】
【補正対象書類名】明細書
【補正対象項目名】００８０
【補正方法】削除
【補正の内容】
【手続補正２４】
【補正対象書類名】明細書
【補正対象項目名】００８１
【補正方法】削除
【補正の内容】